(57)【要約】【課題】  エレベータかごのデザイン検討結果を、さまざまな形態で出力可能な後段側のシステムと連携できるデザイン検討手段を提供すること。【解決手段】  エレベータかごを構成する部品から所望の部品を選択可能に作成され、部品の画像を取得すると、エレベータかご内部の意匠を表示する画面表示を作成する表示部１２と、部品の選択に使用されるポインタの位置を入力する入力部１３と、部品に一意に付された部品コードに対応させて、各部品の画像を記憶している情報記憶部１５と、選択された部品の画像を検索して、この画像を表示部１２に受け渡し、エレベータかごの部品の組合せを、部品コードを組合せた部品組合せコードとして出力する制御部１１と、制御部１１が出力した組合せコードを第２のシステムに送信する通信部１４とを含んで構成されるエレベータかごのデザイン検討システム。【選択図】      図１
2006143401.tif 000002
【特許請求の範囲】
【請求項１】
エレベータかごを構成する複数の部品から所望の部品を選択可能に作成され、選択された部品の画像を取得すると、この部品の画像を層状に重ね合わせてエレベータかご内部の意匠を表示する画面表示を作成する表示部と、
前記画面表示において、部品の選択に使用されるポインタの位置を入力する入力部と、
前記複数の部品ごとに一意に付された部品コードに対応させて、少なくとも各部品の画像を記憶している情報記憶部と、
前記情報記憶部から、前記画面表示において選択された部品の画像を検索して、この検索した画像を前記表示部に受け渡し、前記エレベータかごの部品の組合せを、前記部品コードを組合せた部品組合せコードとして出力する制御部と、
前記制御部が出力した前記組合せコードを、ネットワークを介して接続される第２のシステムに送信する通信部とを含んで構成されること、
を特徴とするエレベータかごのデザイン検討システム。
【請求項２】
前記画面表示に表示される前記エレベータかご内部の意匠は、前記エレベータの入口側およびその反対側の意匠であること、
を特徴とする請求項１に記載のエレベータかごのデザイン検討システム。
【請求項３】
前記第２のシステムは、前記エレベータかごの展開図用の各部品の画像を保持し、受信した前記部品組合せコードに応じて展開図用の各部品の画像を検索して、この検索した画像を重ね合わせて作成した展開図を出力する展開図作成システムであること、
を特徴とする請求項１に記載のエレベータかごのデザイン検討システム。
【請求項４】
前記第２のシステムは、前記情報記憶部に記憶された各部品の画像よりも高精細の画像を保持し、受信した前記部品組合せコードに応じて前記各部品の高精細の画像を検索して、この検索した高精細の画像を重ね合わせて作成した前記エレベータかごの高精細画像を出力する高精細画像出力システムであること、
を特徴とする請求項１に記載のエレベータかごのデザイン検討システム。
【請求項５】
前記第２のシステムは、前記エレベータかごの各部品のＣＡＤデータを保持し、受信した前記部品組合せコードに応じて各部品のＣＡＤデータを検索して、この検索したＣＡＤデータを重ね合わせて作成した意匠図を出力する意匠図制作システムであること、
を特徴とする請求項１に記載のエレベータかごのデザイン検討システム。
【請求項６】
前記第２のシステムは、受信した前記部品組合せコードに応じて、前記エレベータの生産管理を行うエレベータ生産システムであること、
を特徴とする請求項１に記載のエレベータかごのデザイン検討システム。
【請求項７】
コンピュータを、請求項１に記載のエレベータかごのデザイン検討システムとして機能させるためのプログラム。
【発明の詳細な説明】
【技術分野】
【０００１】
本発明は、エレベータかごのデザインの検討結果を、さまざまな形態で出力可能とするエレベータかごのデザイン検討システムおよびそのプログラムに関する。
【背景技術】
【０００２】
ビルなどの大型物件のエレベータの新設またはリニューアルにおいて、その意匠設計を担当する設計担当者にとってエレベータデザインは、他の意匠設計と共に重要なプロセスの一つである。このとき、施主の意向を反映しつつ、ビル全体の設計・デザインとの兼ね合いを考慮し、エレベータのデザインを決定していく作業が必要となる。
【０００３】
従来、このような作業において、設計担当者は、エレベータメーカが発行した各種カタログを見ながら、おおよそのイメージを作り上げ、模型やパース（透視図）などの作成といった表現技術を使ってイメージデザインを行って来た。しかしながら、デザインの打合せ途中で作成されるパースは、設計担当者、施主の意向に応じて変更されることが多く、何度もパース作成のやり直しを行うため、そのたびに時間が必要となり、デザイン決定までに多くの時間を要していた。
【０００４】
また、最近では、設計担当者がエレベータメーカに依頼して、エレベータメーカが、エレベータのパースを作成することが多くなってきており、エレベータメーカでは、このような要望に対応できる技術を開発している。この技術の例として、携帯性の良いノートブックタイプのコンピュータを使用して、設計担当者や施主などの客先に出向き、意向に応じてデザイン検討のできるデザイン検討システムが開発、実現されている。例えば、特許文献１には、コンピュータが表示する画面上においてエレベータかごの部品を選択することで、コンピュータグラフィックによりかご意匠が表示され、意匠仕様の検討を迅速に行なえるデザイン検討システムが開示されている。
しかしながら、特許文献１に開示されたデザイン検討システムでは、デザイン検討システムに接続された印刷装置からデザイン検討結果を出力することしかできないため、さらに詳細なデザイン検討の際に必要となる展開図や意匠図などの出力形態に対応することができないという問題点があった。また、改修工事などでは納期の短縮が課題となるが、従来のデザイン検討システムでは、デザインの検討結果を迅速に生産工程に伝達することができないという問題点もあった。
【０００５】
また、インターネットの普及とともに、エレベータメーカのＷｅｂページ上においてデザイン検討を実施できるシステムも開発されている。このシステムも、前記したデザイン検討システムと基本的に同様のものであるが、インターネットに接続された多くのコンピュータで使用可能なように、表示画像のダウンサイジングを行い、インターネットの伝送に適した形態に改良されている。
【０００６】
このようなインターネットを用いたデザイン検討システムは、基本的にブラウザ画面上で検討するだけのもので、検討結果を、ユーザが画面のハードコピーとして記録として手元に残すことは可能であるが、やはり、検討結果のデータを処理する機能を有していないという問題点があった。
【特許文献１】特開平８−２６３５３７号公報（段落０００９〜００１２、図１、図２、図３）
【発明の開示】
【発明が解決しようとする課題】
【０００７】
前記のような問題点に鑑み、本発明の目的は、エレベータかごのデザイン検討結果を、さまざまな形態で出力可能な後段側のシステムと連携できるエレベータかごのデザイン検討手段を提供することである。
【課題を解決するための手段】
【０００８】
前記した課題を解決するためになされた、本発明に係るデザイン検討システムは、エレベータかごを構成する複数の部品から所望の部品を選択可能に作成され、選択された部品の画像を取得すると、この部品画像を層状に重ね合わせてエレベータかご内部の意匠を表示する画面表示を作成する表示部と、この画面表示において、部品の選択に使用されるポインタの位置を入力する入力部と、複数の部品ごとに一意に付された部品コードに対応させて、少なくとも各部品の画像を記憶している情報記憶部と、この情報記憶部から、画面表示において選択された部品の画像を検索して、この検索した画像を表示部に受け渡し、エレベータかごの部品の組合せを、部品コードを組合せた部品組合せコードとして出力する制御部と、制御部が出力した組合せコードを、ネットワークを介して接続される第２のシステムに送信する通信部とを含んで構成されることを特徴としている。
【発明の効果】
【０００９】
本発明によると、エレベータかごのデザインの検討結果をコード化した部品組合せコードとして、後段側のシステムに送信することにより、デザインの検討結果を出力するさまざまな後段側のシステムと連携することが可能となる。
【発明を実施するための最良の形態】
【００１０】
本発明の実施の形態を、添付した図面を参照しつつ、詳細に説明する。
【００１１】
（デザイン検討システムの構成）
図１は、本実施の形態のデザイン検討システムの機能ブロック図の例である。図１に示すように、デザイン検討システム１は、デザイン検討システム１を統括して制御する制御部１１と、ＧＵＩ（Graphical User Interface）を用いて入力操作（ＧＵＩ操作）が可能な画面表示を作成して出力する表示部１２と、画面表示上のポインタを操作するマウスなどのポインティングデバイスのインターフェイスである入力部１３と、エレベータかごの部品の組合せを表す部品組合せコードを図示しないネットワークを介して後段側のシステムに送信する通信部１４と、エレベータかごを構成する部品に関する情報を記憶した情報記憶部１５とが、内部バス１６により相互に接続されて構成される。なお、デザイン検討システム１の制御部１１についての詳しい動作は後記して説明する。
【００１２】
ここで、デザイン検討システム１の情報記憶部１５に記憶された情報について詳しく説明する。情報記憶部１５にはエレベータかごを構成する部品に関する情報として、各部品に一意に付された部品コードに、その部品の画像である部品画像を示す情報を含んで対応させて格納した部品情報と、天井や床板などの部品の種類ごとに部品画像を格納した画像フォルダとが含まれている。表１は、情報記憶部１５に記憶された部品情報が集約された部品情報テーブルを例示している。表１に示した部品情報テーブルは、エレベータかごを構成する部材ごとに、複数種類の部品情報が格納されたテーブルデータである。そして、この部品情報テーブルの１レコードごとに格納された部品情報は、一意に付された部品コード、部品名称、エレベータかご前面およびエレベータかご背面の部品画像を示す情報、および備考に関する情報から構成されていることがわかる。
【表１】
2006143401.tif 000003
【００１３】
なお、本実施の形態のデザイン検討システム１は、ＣＰＵ（Central Processing Unit）、ＲＡＭ（Random Access Memory）、ＲＯＭ（Read Only Memory）、およびハードディスクドライブなどを含んで構成されるコンピュータにより具現化され、このハードディスクドライブには、情報記憶部１５として割り当てられた領域のほかに、このコンピュータをデザイン検討システム１として動作させるプログラムが格納される領域を有している。このプログラムをＲＡＭに展開して、ＣＰＵが実行することで、コンピュータはデザイン検討システム１として動作する。
【００１４】
（デザイン検討システムの動作）
前記したデザイン検討システム１を用いて、ＧＵＩ操作により決定されたエレベータかごの部品の組合せを示す部品組合せコードを送信するまでの手順を、図２に示したフローチャートを参照しつつ説明する（適宜、図１参照のこと）。
【００１５】
デザイン検討システム１を利用するユーザは、図示しないログイン画面において、ユーザに予め割り当てられたユーザＩＤなどのユーザ情報を入力する。これにより、デザイン検討システム１は、ユーザ情報を取得する（ステップＳ２０１）。
なお、本実施の形態では、デザイン検討システム１は、ユーザ情報を取得する機能のみを有することとするが、ネットワークに接続された認証サーバなどにより、ユーザＩＤやパスワードなどを用いた認証を行なって、認証に成功した場合にのみ、次の手順に進むこととしてもよい。
【００１６】
次に、ユーザ情報を取得したデザイン検討システム１の制御部１１は、所定の初期値に部品組合せコードを設定する（ステップＳ２０２）。なお、部品組合せコードとは、エレベータかごを構成する部品の種類を示す部品コード（表１参照）を列記して構成されたコードである。そして、制御部１１は、表示部１２から、この初期値に設定された部品組合せコードに対応させて、ＧＵＩ操作により、エレベータかごを構成する部品を選択可能に作成されたかご意匠作成画面を、図示しないディスプレイ装置に表示させる（ステップＳ２０３）。
【００１７】
ここで、図３は、ステップＳ２０３において表示されるかご意匠作成画面の例を示している。図３に示したかご意匠作成画面３において、画面の左側は、かご内の出入口側の意匠を表す前面かご意匠表示部３０６であり、初期状態の部品の組合せで、エレベータかごの前側が表示されている。また、中央下側には、背面かご意匠表示部３０７があり、同様に、初期状態の部品の組合せで、エレベータかご内の入口に向かって奥側の意匠が表示されている。この前面かご意匠表示部３０６および背面かご意匠表示部３０７の表示は、部品組合せコードに基づいて、各部品の部品画像を層状に重ね合わせることで作成される。
【００１８】
また、かご意匠作成画面３の右側には、ＧＵＩ操作により、エレベータかごを構成する部品を選択する各選択部が表示されている。本実施の形態のかご意匠作成画面３では、天井の形状および照明を選択する天井選択部３０１、エレベータかごの側板を選択する側板選択部３０２、エレベータかごの床板を選択する床板選択部３０３、エレベータの入口上部の階数表示に用いられるインジケータを選択するインジケータ選択部３０４、および、エレベータの入口右側に設置される操作盤を選択する縦型操作盤選択部３０５から構成されている。なお、これら以外にもエレベータの機種や、かごの大きさに応じて、手摺や、かごの側面に設けられる横型操作盤などを選択する選択部を設けることも可能である。
【００１９】
さらに、かご意匠作成画面３の下側には、前面かご意匠表示部３０６および背面かご意匠表示部３０７に表示された部品の組合せを部品組合せコードに記憶する保存ボタン３０８、この部品組合せコードを後記する展開図作成システムに送信する作成依頼ボタン３０９、必要に応じて保存ファイルにメモなどを記載することができる備考記入欄３１０、そしてシステムを強制終了する終了ボタン３１１が含まれ、ＧＵＩ操作により各ボタンを押下することができる。
【００２０】
次に、デザイン検討システム１は、前記したかご意匠作成画面３においてユーザのＧＵＩ操作により、所望の部品が選択されるまで待機する（ステップＳ２０４）。そして、ユーザが、かご意匠作成画面３において、ＧＵＩ操作により、各選択部から所望の部品を選択すると、この選択された部品に対応する部品コードを、デザイン検討システム１の制御部１１は取得する（ステップＳ２０５）。制御部１１は、取得した部品コードおよび部品情報（表１参照）から、情報記憶部１５に記憶された選択された部品の前面および背面の部品画像を検索して（ステップＳ２０６）、抽出することで表示部１２に受け渡す。
【００２１】
次に、選択された部品画像を受け取った表示部１２は、かご意匠作成画面３（図３参照）において、層状に重ね合わされた前面かご意匠表示部３０６および背面かご意匠表示部３０７の画像のうち、選択された部品の部品画像と、現在表示されている選択された部品に該当する部品の画像とを置換する（ステップＳ２０７）。これにより、前面かご意匠表示部３０６および背面かご意匠表示部３０７には、ユーザが選択した部品が反映されて表示されることになる。そして、制御部１１は、ステップＳ２０５において取得したユーザが選択した部品の部品コードと、現在保持している部品組合せコードの該当する部品コードとを置換する（ステップＳ２０８）。
【００２２】
ここで、図４は、ステップＳ２０５ないしステップＳ２０７の手順をさらに詳しく説明するための図面である。図４を参照して、例えば、ステップＳ２０５において、かご意匠作成画面３の床板選択部３０３から、ユーザがポインティングデバイスを用いて、破線で囲まれた床材（'格子ライトグレー'）を選択すると、制御部１１は、この床材の部品コード'Ｙ０２'を取得する（表１参照）。そして、制御部１１は、表１に示した部品情報テーブルを参照して、この部品コード'Ｙ０２'を有する部品の部品画像'Ｙ０２．ｊｐｇ'を情報記憶部１５に記憶された床板画像フォルダから検索する。そして、制御部１１は、この検索された部品画像'Ｙ０２．ｊｐｇ'を情報記憶部１５から抽出して、ステップＳ２０７として、現在、前面かご意匠表示部３０６に表示されている床板画像と、抽出した部品画像'Ｙ０２．ｊｐｇ'とを置換することで、前面かご意匠表示部３０６の表示は、ステップＳ２０５において、ユーザにより選択された床板（'格子ライトグレー'）が反映された表示となる。
同様に、背面かご意匠表示部３０７の表示も、ユーザが選択した床材の画像に置換される。
【００２３】
そして、図３に示した、かご意匠作成画面３において、ユーザのＧＵＩ操作により、保存ボタン３０８または作成依頼ボタン３０９が選択されると（ステップＳ２０９において'Ｙｅｓ'の場合）、保存ボタン３０８が選択された場合には、このとき保持している部品組み合わせコードを情報記憶部１５に記憶し、作成依頼ボタン３０９が選択された場合には、通信部１４から、ネットワークを介して、このとき保持している部品組合せコードにステップＳ２０１で取得したユーザを識別するユーザ情報を付加して、後記する展開図作成システムに送信する（ステップＳ２１０）。
【００２４】
また、保存ボタン３０８または作成依頼ボタン３０９が選択されない場合は（ステップＳ２０９において'Ｎｏ'の場合）、ステップＳ２０４に戻って、かご意匠作成画面３においてＧＵＩ操作により部品が選択されるまで待機する。
【００２５】
以上、説明した本実施の形態のデザイン検討システム１により、ユーザが検討したエレベータかごの部品の組合せをコード化して、部品組合せコードとして、後段側のシステムに送信することができる。
【００２６】
（展開図作成システムの構成）
次に、前記したデザイン検討システム１とネットワークを介して接続された後段側のシステムである展開図作成システムについて詳しく説明する。本実施の形態の展開図作成システムは、デザイン検討システム１から受信した部品組合せコードに基づいて、エレベータかごの展開図を作成し、展開図作成システムに接続されたプロッタに、この展開図を印刷・裁断させてペーパークラフトとして組立可能に出力させることができる。
ここで、図５は本実施の形態の展開図作成システムの機能ブロック図の例である。図５に示すように、展開図作成システム５は、展開図作成システム５を統括して制御する第２制御部５１と、部品組合せコードに応じたエレベータかごの展開図を、図示しないディスプレイ装置に出力する第２表示部５２と、図示しないネットワークを介して、デザイン検討システム１から送信された部品組合せコードを受信する第２通信部５３と、部品組合せコードに応じたエレベータかごの展開図を印刷させ、ペーパークラフトとして作成可能に、裁断および折れ線を入れるプロッタの制御信号を出力する出力部５４と、部品組合せコードに対応して、展開図を作成するための情報を記憶した展開図情報記憶部５５とが、第２内部バス５６により相互に接続されて構成される。なお、展開図作成システム５の第２制御部５１についての詳しい動作は後記して説明する。
【００２７】
ここで、展開図作成システム５の展開図情報記憶部５５に記憶された情報について詳しく説明する。展開図情報記憶部５５には、エレベータかごの展開図を作成するための情報として、部品組合せコードに対応させて、展開図を構成する部品の部品画像を示す情報を格納した部品組合せ情報と、天井や床板などの部品の種類ごとに展開図用の部品画像を含んで格納した画像フォルダとが含まれている。この画像フォルダには、展開図をペーパークラフトとして出力した際に、切り取り線となる画像および折れ線となる画像の情報も含まれて格納されている。例えば、表２は、展開図情報記憶部５５に記憶された部品組合せ情報を示している。表２に示した部品組合せ情報は、エレベータかごを構成する天井の種類ごとに、その切り取り線および折れ線の画像を示す情報と、エレベータかごを構成する複数種類の部品の部品コードおよびその部品画像を示す情報とが格納されたテーブルデータである。
なお、この部品組合せ情報において、天井の部品ごとに、対応する各部品の情報を格納した構成を有している理由は、天井照明が異なると、天井の模様だけでなくその形状が変わってしまうことがあり、その天井を含んだ展開図の切り取り線と折れ線の形状が異なることがあるためである。
【表２】
2006143401.tif 000004
【００２８】
なお、本実施の形態の展開図作成システム５は、デザイン検討システム１と同様の構成を有するコンピュータにより具現化することが可能であり、このコンピュータのハードディスクドライブには、展開図情報記憶部５５として割り当てられた領域のほかに、このコンピュータを展開図作成システム５として動作させるプログラムが格納される領域を有している。このプログラムをＲＡＭに展開して、ＣＰＵが実行することで、コンピュータは展開図作成システム５として動作する。
【００２９】
（展開図作成システムの動作）
前記した展開図作成システム５を用いて、ペーパークラフトとして組立可能に加工されたエレベータかごの展開図を出力するまでの手順を、図６に示したフローチャートを参照しつつ説明する（適宜、図５参照）。
【００３０】
はじめに、展開図作成システム５は、図示しないネットワークを介して、デザイン検討システム１から、ユーザが所望する部品の組合せを示す部品組合せコードを受信する（ステップＳ６０１）。次に、展開図作成システム５の第２制御部５１は、展開図情報記憶部５５から、表２に示した部品組合せ情報を用いて、受信した部品組合せコードに対応する部品画像を検索する（ステップＳ６０２）。次に、第２制御部５１は、第２表示部５２に検索した部品画像を受け渡し、第２表示部５２は、受け取った部品画像を層状に重ね合わせて展開図を作成し（ステップＳ６０３）、図示しないディスプレイ装置に、この展開図を表示する（ステップＳ６０４）。
ステップＳ６０３において、第２表示部５２が第２制御部５１から受け取った部品画像には、展開図の切り取り線および折れ線の画像も含まれており、これらの画像には、展開図をペーパークラフトとして組み立てる際に、のり代となる部分の画像も含まれている。
【００３１】
ここで、例えば、図７は、ステップＳ６０３において、ディスプレイ装置に展開図を表示した展開図表示画面を表している。図７に示した展開図表示画面７には、エレベータかごの展開図とあわせて、画面右下に、この表示された展開図のペーパークラフトを作成する場合に選択する作成ボタン７１と、ペーパークラフトを作成せずに終了する場合に選択する中止ボタン７２とが含まれている。
【００３２】
そして、ユーザにより、展開図表示画面７の作成ボタン７１が選択されると、第２制御部５１は、第２表示部５２が部品画像を重ね合わせて作成した展開図の情報に基づいて、出力部５４から、図示しないプロッタに、ペーパークラフトを作成させる出力信号を送信する（ステップＳ６０５）。
【００３３】
ここで、ステップＳ６０５における出力部５４からの出力信号の送信過程を詳しく説明すると、はじめに、第２制御部５１は出力部５４から、プロッタに対して展開図の印刷させる情報を送信し、展開図の印刷が終了すると、ペン先を折れ線用に交換されたプロッタに、折れ線の画像データに基づいて、印刷された展開図に折れ線を付す情報を送信する。そして、最後に、ペン先を切抜きカッターに交換されたプロッタに、切り取り線の画像データに基づいて、折れ線の付された展開図を裁断する信号を送信する。これにより、ペーパークラフトとして組立可能なエレベータかごの展開図が出力される。
【００３４】
（後段側のシステムの他の実施形態）
本実施の形態のデザイン検討システム１の通信部１４から送信される部品組合せコードは、前記した展開図作成システム５以外にも、さまざまなシステムと連動して使用することができる。例えば、前記した展開図作成システム５の展開図情報記憶部５５に、より高精細の部品画像を格納し、プロッタに替えて高精細プリンタによりパースを出力することで、エレベータかごの高精細画像を出力することができる。これにより、より臨場感のある細かい画像に基づいてエレベータかごの意匠の打合せを行なうことができる。
また、前記した展開図作成システム５の展開図情報記憶部５５に記憶された部品画像を、各部品のＣＡＤデータとすることで、エレベータかごの意匠図を出力することも可能である。これにより、ユーザが所望したエレベータかごの意匠図を迅速に出力することができる。
さらに、デザイン検討システム１が送信する部品組合せコードを、エレベータかごの生産管理を行うエレベータ生産システムに受け渡すことも考えられる。これにより、ユーザが決定したエレベータかごの組合せに基づいて、生産準備に入ることができるため、エレベータの納期を短縮することができる。
【００３５】
本実施の形態のデザイン検討システム１を、コンピュータで実現するプログラムは、例えばインターネットを介して伝送することも可能である。これにより、ユーザは、このプログラムを保持した所定のサーバにアクセスすることで、プログラムをインターネットを介してダウンロードして、例えば、ユーザの所有するコンピュータをデザイン検討システム１として利用することも可能である。
【００３６】
以上のように、本発明が属する技術分野の知識を有する者であれば、本発明をさまざまに変形した実施形態を実施可能であり、本発明は、前記した実施の形態に限定されず、特許請求の範囲に記載された技術的思想により定められる。
【図面の簡単な説明】
【００３７】
【図１】デザイン検討システムの機能ブロック図である。
【図２】デザイン検討システムにおける部品組合せコードを出力する手順を説明するフローチャートである。
【図３】かご意匠作成画面を示す図面である
【図４】部品画像の置換手順を説明する説明図である。
【図５】展開図作成システムの機能ブロック図である。
【図６】展開図作成システムにおける展開図の出力手順を説明するフローチャートである。
【図７】展開図表示画面を示す図面である。
【符号の説明】
【００３８】
１      デザイン検討システム
３      かご意匠作成画面
５      展開図作成システム
１１    制御部
１２    表示部
１３    入力部
１４    通信部
１５    情報記憶部
３０６  前面かご意匠表示部
３０７  背面かご意匠表示部
【図１】
2006143401.tif 000005
【図２】
2006143401.tif 000006
【図３】
2006143401.tif 000007
【図４】
2006143401.tif 000008
【図５】
2006143401.tif 000009
【図６】
2006143401.tif 000010
【図７】
2006143401.tif 000011